(57)【要約】【課題】バスバー接続用のコネクタハウジングへの端子金具の挿入に際し、端子金具の誤挿入による損傷を防止する。【解決手段】バスバーＢを受け入れ可能なスリット１５を有する接続部１３を備えた端子金具１１と、この端子金具１１をスリット１５の軸方向に対して直交する方向に複数並列して収容可能な端子収容室２２を備えたコネクタハウジング２１とからなるコネクタにおいて、隣接する端子収容室２２間の隔壁２４には、この隔壁２４にスリット１５が挿入されたとき、弾性接触片１６の挿入領域に対応して端子挿入面２２ｂ側から延びる切欠部２７を形成している。これにより、端子金具１１の誤挿入時の隔壁２４と弾性接触片１６との接触を防止している。【選択図】　図４
2004103348.tif 000002
【特許請求の範囲】
【請求項１】
電線を圧着可能な電線圧着部を一端に備えると共に、他端には接続すべき相手側部材のバスバーを受け入れ可能なスリットと該スリットに受け入れた上記バスバーと接触可能な弾性接触片を有する接続部とを備えた端子金具と、上記端子金具を上記スリットの軸方向に対して直交する方向に複数並列して収容可能な端子収容室を備えたコネクタハウジングとからなるコネクタにおいて、
隣接する上記端子収容室間を区割りする隔壁には、該隔壁に上記端子金具のスリットが挿入されたとき、少なくとも上記弾性接触片の接点部の挿入領域に対応する領域に端子挿入面側から延びる切欠部を形成したことを特徴とするコネクタ。
【請求項２】
上記切欠部は、少なくとも上記端子金具の弾性接触片の幅に対応する幅と、上記スリットの深さに対応する深さに設定している請求項１に記載のコネクタ。
【請求項３】
上記コネクタハウジングの嵌合面側には上記端子収容室に収容する端子金具のスリットに対応して上記バスバーを受け入れ可能な溝部を形成して、上記端子金具の先端が上記嵌合面の端面から突出しない構成としている請求項１または請求項２に記載のコネクタ。
【発明の詳細な説明】
【０００１】
【発明の属する技術分野】
本発明はコネクタに関し、詳しくは、相手側接続部材であるバスバーと接続するための端子金具を端子収容室へ挿入する際の誤挿入による変形防止を図るものである。
【０００２】
【従来の技術】
図５（Ａ）（Ｂ）に示すように、ジャンクションボックス１において、内部回路構成体２にバスバー３を立設状態で並設した縦バスバー方式を採用したものが知られている（特開２００１−２６８７５１号公報）。このジャンクションボックス１のケース４の上面には、外部から導入されるワイヤハーネスＷ／Ｈを接続するためのコネクタ嵌合部５が設けられている。そして、コネクタ嵌合部５にはワイヤハーネスＷ／Ｈの端末に取り付けたコネクタ６を嵌合し、このコネクタ６に収容された圧接式の端子金具７をバスバー３に圧接することで、ワイヤハーネスＷ／Ｈをジャンクションボックス１の内部回路構成体２に接続するようにしている。
【０００３】
ところで、上記のように中継端子を用いることなくバスバー３に直接接続可能とするための雌型の端子金具８として図６（Ａ）（Ｂ）に示すものが知られている。この端子金具は、一端に電線圧着部８ａを備えると共に、他端には角筒状の接続部８ｂを備えている。接続部８ｂの対向する上下の側壁部には、バスバーを受け入れるためのスリット８ｃを形成し、他の対向する左右の側壁部の内面には受け入れたバスバー３を挟持するようにして両面に弾性的に接触可能な弾性接触片８ｄを折り曲げ形成している。
そして、上記構成からなる端子金具８は、図７に示すように、複数の端子金具８を収容可能な端子収容室９ａを並設したコネクタハウジング９内に挿入係止されて、ジャンクションボックス１のコネクタ嵌合部５に装着される。
【０００４】
【発明が解決しようとする課題】
上記の端子金具８は、所要間隔毎に並設されたバスバーに対し横並び状態で接続させるため、コネクタハウジング９の各端子収容室９ａの並設方向に対し、各端子金具８のスリット８ｃが直交する位置関係で収容される。このため、各端子収容室９ａへの端子金具８の挿入作業に際し、隣接する端子収容室９ａ間の隔壁９ｂに対し、端子金具８のスリット８ｃが丁度合致して隣接する二つの端子収容室９ａ間に跨って端子金具８が誤挿入される可能性がある（図７中の左から３番目の端子金具８）。このような端子金具８の誤挿入が生じた場合、スリット８ｃ内への無理な隔壁９ｂの受け入れによって端子金具８が損傷する可能性もあった。
【０００５】
本発明は、上記した問題に鑑みてなされたものであり、バスバーに直接接続可能な端子金具をコネクタハウジングへ挿入する際の端子金具の損傷防止を図るコネクタを提供することを課題としている。
【０００６】
【課題を解決するための手段】
上記課題を解決するために、本発明は、電線を圧着可能な電線圧着部を一端に備えると共に、他端には接続すべき相手側部材のバスバーを受け入れ可能なスリットと該スリットに受け入れた上記バスバーと接触可能な弾性接触片を有する接続部とを備えた端子金具と、上記端子金具を上記スリットの軸方向に対して直交する方向に複数並列して収容可能な端子収容室を備えたコネクタハウジングとからなるコネクタにおいて、
隣接する上記端子収容室間を区割りする隔壁には、該隔壁に上記端子金具のスリットが挿入されたとき、少なくとも上記弾性接触片の接点部の挿入領域に対応する領域に端子挿入面側から延びる切欠部を形成したことを特徴とするコネクタを提供している。
【０００７】
上記構成によれば、バスバーを受け入れるためのスリット付きの端子金具をコネクタハウジングへ挿入する際、誤って隣接する端子収容室の間の隔壁部分に挿入してしまった場合、端子金具はスリットの深さまで隔壁部分に挿入される。しかしながら、隔壁には切欠部が形成されているため、端子金具における弾性接触片の接点部は隔壁に接触することはない。よって、端子金具を誤挿入した場合においても弾性接触片が損傷を受けるのを防止できる。
【０００８】
また、上記切欠部は、少なくとも上記端子金具の弾性接触片の幅に対応する幅と、上記スリットの深さに対応する深さに設定するのが好ましい。このようにすれば、隔壁部分に端子金具が誤挿入される際、多少傾いた状態で挿入されても、弾性接触片が隔壁に接触する可能性を皆無とすることができ、誤挿入時の弾性接触片の変更防止をより一層確実なものとすることができる。
【０００９】
上記コネクタハウジングの嵌合面側には上記端子収容室に収容する端子金具のスリットに対応して上記バスバーを受け入れ可能な溝部を形成して、上記端子金具の先端が上記嵌合面の端面から突出しない構成とするのが好ましい。
このようにすれば、コネクタハウジング内に収容された端子金具の接続部がコネクタハウジングの先端から突出しないので、端子金具の先端が異物と干渉して変形等の損傷を受けるのを防止できる。
【００１０】
【発明の実施の形態】
以下、本発明の実施形態を図面を参照して説明する。
本発明のコネクタ１０は、特にジャンクションボックス（図示せず）に複数並設された縦バスバーＢに対して接続するための端子金具１１と、コネクタハウジング２１とから構成している。
図１（Ａ）〜（Ｄ）は雌端子金具１１を示し、金属板材を折り曲げて形成されており、一端に電線Ｗの芯線および被覆部を圧着可能なワイヤバレル１２ａとインシュレーションバレル１２ｂからなる電線圧着部１２を備えると共に、他端には相手側接続部材である縦バスバーＢと接続するための接続部１３を備えている。
【００１１】
接続部１３は、略四角筒状に折り曲げ形成された４片の側壁部１４ａ、１４ｂ、１４ｃ、１４ｄからなっている。対向する上下の側壁部１４ａ、１４ｃの中間位置には、縦バスバーＢの板厚に対応する間隔のスリット１５を端子金具１１の長さ方向に向かって切り込み形成し、このスリット１５に沿って縦バスバーＢを受け入れ可能としている。
【００１２】
また、対向する左右の側壁部１４ｂ、１４ｄには、延出された先端部を内方へ山状に折り返して一対の対向する弾性接触片１６を形成している。弾性接触片１６の対向する頂点である接点部１６ａは、図１（Ａ）に示すように、スリット１５内に突出するようにして、このスリット１５に受け入れられる縦バスバーＢの両面に対し、弾性的に接触可能としている。また、接続部１３の後端にはコネクタハウジング２１に収容したときに後述の弾性係止片２３を係止するための段部１７を形成している。更に、接続部１３における一側の側壁部１４ｂには、端子金具１１をコネクタハウジング２１へ挿入するときの方向性を規制するためのスタビライザ１８を上方へ突設している。このスタビライザ１８は、図１（Ｄ）に示すように、側壁部１４ｂの角部に形成した窓部１９を通して上面側の側壁部１４ａの端部を折り曲げて立ち上げることにより形成するようにしている。
【００１３】
図２（Ａ）〜（Ｃ）はコネクタハウジング２１を示し、合成樹脂製にて横長の箱状に成形されている。このコネクタハウジング２１は端子金具１１を横並びに一段で１５個収容可能な端子収容室２２を備えている。各端子収容室２２内には、図３に示すように、端子金具１１における接続部１３の後端の段部１７に係止して端子金具１１を抜け止めするための片持ち梁からなる弾性係止片２３を先端の嵌合面２１ａ側に向けて突設している。端子収容室２２は端子金具１１を収容したとき、端子金具１１のスリット１５が上下方向に向く姿勢で収容するようにしている。即ち、端子金具１１のスリット１５の軸方向に対して各端子収容室２２は直交する方向に複数並設される状態としている。
また、図３、図４に示すように、隣接する端子収容室２２間を区割りする隔壁２４には、端子挿入面２２ｂ側から延びる切欠部２７を形成している。この切欠部２７は端子金具１１の弾性係止片２３の幅に対応する幅寸法以上に設定すると共に、スリット１５の深さに対応する深さ寸法以上に設定し、端子金具１１が誤って隔壁２４に対しスリット１５の部分で挿入されたとき、弾性係止片２３が隔壁２４に接触しないようにしている。
【００１４】
また、コネクタハウジング２１は、図２（Ａ）に示すように、嵌合面２１ａ側の上下面に、各端子収容室２２に収容した端子金具１１のスリット１５に対応して縦バスバーＢを受け入れ可能な深さの溝部２５を形成している。これにより、端子金具１１の先端をコネクタハウジング２１の嵌合面２１ａから突出させることなく端子金具１１と縦バスバーＢとの接続を可能とすることができる。なお、２６はコネクタハウジング２１の上面部に設けたロックアームであり、これによりジャンクションボックスのコネクタ嵌合部に嵌合したときに相手側の係止部材と係合してコネクタ１０を抜け止め保持することができる。
【００１５】
次に、本発明のコネクタ１０の作用について説明する。
図３に示すように、まず、端子金具１１の電線圧着部１２にワイヤハーネスを構成する電線Ｗの端末部を圧着しておき、次いで、この端子金具１１をコネクタハウジング２１の各端子収容室２２に挿入する。端子金具１１を挿入する際、各端子収容室２２が横並びに配置されたコネクタハウジング２１に対し、端子金具１１のスリット１５の軸方向が上下方向に向くようにすると共に、スタビライザ１８が上方に向き、逃げ部２０が下方に位置するようにして挿入を開始する。
【００１６】
このとき、従来のコネクタハウジングであれば、並列する各端子収容室２２の間の隔壁２４に対し、端子金具１１のスリット１５が合致して誤った位置に挿入されてしまい、隔壁２４により弾性接触片１６が押されて変形してしまうという問題があった。しかしながら、本発明では、図４に示すように、隔壁２４の部分に端子金具１１を誤挿入した場合においても、隔壁２４に形成された切欠部２７によって弾性接触片１６の挿入領域に対応する部分が空隙となっている。このため、隔壁２４が弾性接触片１６に接触することがなく、弾性接触片１６の損傷を確実に防止できる。
【００１７】
そして、各端子収容室２２の正規の位置に対応する端子金具１１が挿入されると、図３に示すように、弾性係止片２３が端子金具１１の段部１７に係止して各端子収容室２２は抜け止め状態で保持される。この状態において、各端子金具１１のスリット１５と、コネクタハウジング２１の溝部２５の位置は合致した状態となる。次いで、かかる状態のコネクタ１０をジャンクションボックス（図示せず）のコネクタ嵌合部に嵌合することにより、並列状態で立設された複数の縦バスバーＢがスリット１５および溝部２５を通して嵌合面２１ａ側に受け入れられる。同時に縦バスバーＢの両面に対向している弾性接触片１６が弾性的に接触することで端子金具１１と縦バスバーＢとの電気的接触が確保される。
【００１８】
なお、上記実施形態においては、切欠部２７を端子金具１１の弾性接触片１６の幅に対応する幅と、スリット１５の深さに対応する深さに設定した例を示したが、少なくとも接点部１６ａの挿入領域に対応する領域に切欠部２７を設ける設定としてもよい。この場合においても、端子金具１１の誤挿入時には、少なくとも最も内方へ突出する接点部１６ａが、切欠部２７によって隔壁２４との接触を回避できるため、端子金具１１の変形を有効に防止することができる。
【００１９】
【発明の効果】
上記の説明より明らかなように、本発明によれば、バスバーと接続するためのスリットを有する端子金具をコネクタハウジングの並列する各端子収容室へ挿入する際、端子金具の誤挿入によって、各端子収容室間の隔壁にスリットが嵌まり込んでも端子金具に損傷を与えることがない。
【図面の簡単な説明】
【図１】本発明のコネクタにおける端子金具を示し、（Ａ）は平面図、（Ｂ）は正面図、（Ｃ）は左側面図、（Ｄ）はＸ−Ｘ断面の端面図である。
【図２】コネクタハウジングを示し、（Ａ）は平面図、（Ｂ）は背面図、（Ｃ）はＹ−Ｙ断面図である。
【図３】コネクタハウジングに端子金具を挿入した状態の断面図である。
【図４】コネクタハウジングの隔壁に端子金具が誤挿入された状態を示す図ある。
【図５】（Ａ）（Ｂ）は従来例を示す図である。
【図６】（Ａ）（Ｂ）は従来のジャンクションボックス接続用の端子金具を示す図である。
【図７】従来のコネクタハウジングの端子挿入面の要部を示す図である。
【符号の説明】
１０　コネクタ
１１　端子金具
１２　電線圧着部
１３　接続部
１５　スリット
１６　弾性接触片
２１　コネクタハウジング
２１ａ　嵌合面
２２　端子収容室
２４　隔壁
２５　溝部
２７　切欠部
Ｂ　バスバー（縦バスバー）
【図１】
2004103348.tif 000003
【図２】
2004103348.tif 000004
【図３】
2004103348.tif 000005
【図４】
2004103348.tif 000006
【図５】
2004103348.tif 000007
【図６】
2004103348.tif 000008
【図７】
2004103348.tif 000009